(57)【要約】【課題】携帯型テレビジョン受像器で視聴していた番組をそのまま別個のテレビジョン受像器で途切れることなく視聴することができる携帯型テレビジョン受像器を提供する。【解決手段】テレビジョン放送電波信号のうちユーザ操作に応じた周波数チャンネルの信号を選択的に復調して、少なくとも映像信号と音声信号を出力する受信回路を有する。受信回路は、アンテナ５と、チューナー６と、復調器７を備える。また、前記選択された周波数チャンネルを表す周波数チャンネル情報を記憶するメモリ１１と、据え置き型テレビジョン受像器１６で選択される周波数チャンネルを制御するために、メモリ１１に記憶された前記周波数チャンネル情報を送信する送信手段を備える。【選択図】  図２
2004228639.tif 000002
【特許請求の範囲】
【請求項１】
テレビジョン放送電波信号のうちユーザ操作に応じた周波数チャンネルの信号を選択的に復調して少なくとも映像信号と音声信号を出力する受信回路と、
前記選択された周波数チャンネルを表す周波数チャンネル情報を記憶するメモリと、
別個のテレビジョン受像器で選択される周波数チャンネルを制御するために、前記メモリに記憶された前記周波数チャンネル情報を送信する送信手段とを備えたことを特徴とする携帯型テレビジョン受像器。
【請求項２】
請求項１記載の携帯型テレビジョン受像器であって、
前記送信手段は、前記周波数チャンネル情報と共に前記別個のテレビジョン受像器の電源をオンにする制御信号を送信することを特徴とする携帯型テレビジョン受像器。
【請求項３】
請求項１記載の携帯型テレビジョン受像器であって、
前記テレビジョン放送電波信号は、少なくとも放送番組を表すデータ情報を含み、
前記受信回路は、前記テレビジョン放送電波信号に含まれるデータ情報をも復調し、
前記送信手段は、前記周波数チャンネル情報と、前記受信回路で復調して得たデータ情報と、前記別個のテレビジョン受像器の電源をオンにする制御信号とを送信することを特徴とする携帯型テレビジョン受像器。
【請求項４】
請求項１記載の携帯型テレビジョン受像器であって、
前記受信回路で復調して得た前記映像信号を表示する表示手段と、
少なくとも前記表示手段を覆って設けられる開閉蓋と、
前記開閉蓋の開状態及び閉状態を検出する蓋開閉検出手段と、
前記蓋開閉検出手段が前記開閉蓋の閉状態を検出したときに、前記メモリに記憶された前記周波数チャンネル情報を送信した後、前記受信回路の動作を停止させる制御回路とを備えたことを特徴とする携帯型テレビジョン受像器。
【請求項５】
請求項１記載の携帯型テレビジョン受像器であって、
前記周波数チャンネル情報は、チャンネル番号と受信周波数を含むことを特徴とする携帯型テレビジョン受像器。
【請求項６】
テレビジョン放送電波信号のうちユーザ操作に応じた周波数チャンネルの信号を選択的に復調して少なくとも映像信号と音声信号を出力する受信回路と、前記選択された周波数チャンネルを表す周波数チャンネル情報を記憶するメモリと、前記メモリに記憶された周波数チャンネル情報を送信する送信手段とを備えた第１のテレビジョン受像器と、
前記第１のテレビジョン受像器から送信された前記周波数チャンネル情報を受信する受信手段と、受信した前記周波数チャンネル情報に対応する周波数チャンネルのテレビジョン放送電波信号を受信するように受信回路を制御する制御部とを備えた第２のテレビジョン受像器とからなることを特徴とするテレビジョンシステム。
【請求項７】
請求項６記載のテレビジョンシステムであって、
前記第２のテレビジョン受像器は、テレビジョン放送電波信号のうちユーザ操作に応じた周波数チャンネルの信号を選択的に復調して少なくとも映像信号と音声信号を出力する受信回路と、前記選択された周波数チャンネルを表す周波数チャンネル情報を記憶するメモリと、前記メモリに記憶された周波数チャンネル情報を送信する送信手段とを備え、
前記第１のテレビジョン受像器は、前記第２のテレビジョン受像器から送信された前記周波数チャンネル情報を受信する受信手段と、受信した前記周波数チャンネル情報に対応する周波数チャンネルのテレビジョン放送電波信号を受信するように受信回路を制御する制御部とを備えたことを特徴とするテレビジョンシステム。
【請求項８】
請求項６記載のテレビジョンシステムであって、
前記第１のテレビジョン受像器が携帯型テレビジョン受像器であり、第２のテレビジョン受像器が据え置き型テレビジョン受像器であることを特徴とするテレビジョンシステム。
【請求項９】
請求項６記載のテレビジョンシステムであって、
前記１のテレビジョン受像器及び第２のテレビジョン受像器が共に携帯型テレビジョン受像器であることを特徴とするテレビジョンシステム。
【発明の詳細な説明】
【０００１】
【発明の属する技術分野】
本発明は、携帯型テレビジョン受像器及びテレビジョンシステムに関する。
【０００２】
【従来の技術】
従来、テレビジョン放送の電波を受信してテレビ映像を表示すると共に音声を出力する携帯型のテレビジョン受像器が提案されている（例えば、特許文献１参照）。携帯型のテレビジョン受像器は、電波を受信することができる場所であれば、自由に戸外へ持ち出すことができ、いつでも好きなときに好きな場所でテレビを見ることができる。
【０００３】
しかしながら、これまでの携帯型のテレビジョン受像器は、例えば手に持って歩きながらテレビを見るような使い方をするのではなく、ある特定の場所に置いて見るといった使い方がされている。
【０００４】
また、携帯型のテレビジョン受像器ではないが、折り畳み式の携帯電話機で、折り畳み状態のときには表示部と送話器の動作を停止させる技術が開示されている（例えば、特許文献２参照）。
【０００５】
【特許文献１】
特許第２９６２０８２号公報（第１頁及び第２頁、第１図）
【特許文献２】
特許第３０３６２７５号公報（第１頁及び第２頁、第１図）
【０００６】
【発明が解決しようとする課題】
ところで、近年、地上デジタル放送が開始されるにあたり、サービスエリア、画質、音質などが格段に向上するため、通勤や通学時の移動時に携帯型のテレビジョン受像器を視聴する機会が拡大することが予想される。これに伴い、携帯型テレビジョン受像器の利用形態もこれまでの利用形態に対して大きく変化し、電車内でテレビを見たり、歩きながら視聴したりすることも考えられる。
【０００７】
ところが、現在の状況下では、ユーザが帰宅途中に視聴していた番組を自宅に帰ってそのまま据え置き型テレビジョン受像器で見るためには、据え置き型テレビジョン受像器の電源をオンにした後、今まで見ていた番組のチャンネルに合わせるチャンネル操作（チャンネル選択）が必要となる。
【０００８】
このように、据え置き型テレビジョン受像器の電源をオンにした後、チャンネル操作を行っていたのでは、ユーザは、携帯型テレビジョン受像器で見ていた番組の見たい場面を見損ねてしまう可能性がある。また、据え置き型テレビジョン受像器の中には、リモコンのチャンネルボタンを押すと電源のオンも同時に行われるテレビジョン受像器もあるが、この場合も、自分が今まで視聴していた番組のチャンネルを意識している必要がある。
【０００９】
そこで、本発明は、このような課題に鑑みてなされたものであり、携帯型テレビジョン受像器で視聴している番組をそのまま据え置き型テレビジョン受像器又は他の携帯型テレビジョン受像器で途切れることなく連続して視聴することを可能とする携帯型テレビジョン受像器及びテレビジョンシステムを提供することを目的とする。
【００１０】
【課題を解決するための手段】
本発明の携帯型テレビジョン受像器は、ユーザ操作に応じた周波数チャンネルの信号を選択的に復調して少なくとも映像信号と音声信号を出力する受信回路と、別個のテレビジョン受像器で選択される周波数チャンネルを制御するために、周波数チャンネル情報を送信する送信手段とを備える。
【００１１】
本発明の携帯型テレビジョン受像器によれば、現在選局中の周波数チャンネル情報を別個のテレビジョン受像器に送信すると、携帯型テレビジョン受像器で視聴していた番組をそのまま別個のテレビジョン受像器で途切れることなく連続して視聴可能となる。
【００１２】
本発明のテレビジョンシステムは、ユーザ操作に応じた周波数チャンネルの信号を選択的に復調して少なくとも映像信号と音声信号を出力する受信回路と、周波数チャンネル情報を送信する送信手段とを備えた第１のテレビジョン受像器と、この第１のテレビジョン受像器から送信された前記周波数チャンネル情報を受信する受信手段と、受信した前記周波数チャンネル情報に対応する周波数チャンネルのテレビジョン放送電波信号を受信するように受信回路を制御する制御部とを備えた第２のテレビジョン受像器とからなる。
【００１３】
本発明のテレビジョンシステムによれば、第１のテレビジョン受像器で現在選局中の周波数チャンネル情報を、第２のテレビジョン受像器に送信すると、第２のテレビジョン受像器の制御部が、受信した前記周波数チャンネル情報に対応する周波数チャンネルのテレビジョン放送電波信号を受信するように受信回路を制御する。
【００１４】
【発明の実施の形態】
以下、本発明を適用した具体的な実施の形態について図面を参照しながら詳細に説明する。
【００１５】
［第１の実施の形態］
第１の実施の形態は、携帯型テレビジョン受像器と、家庭内にある据え置き型テレビジョン受像器又は別個の携帯型テレビジョン受像器との間で周波数チャンネル情報を共有させて、携帯型テレビジョン受像器で視聴していた番組を据え置き型テレビジョン受像器又は別個の携帯型テレビジョン受像器で途切れることなく連続して視聴することができるようにした例である。
【００１６】
図１は、携帯型テレビジョン受像器の一例を示す斜視図である。図２は、携帯型テレビジョン受像器から据え置き型テレビジョン受像器に周波数チャンネル情報を送信させ、または、携帯型テレビジョン受像器から別個の携帯型テレビジョン受像器に周波数チャンネル情報を送信させる一例を示すテレビジョンシステムを示す図である。
【００１７】
「携帯型テレビジョン受像器の構成及びテレビジョンシステムの構成」
携帯型テレビジョン受像器１は、図１に示すように、本体部２と、この本体部２に対してヒンジ部３を介して開閉自在な開閉蓋４とを備えている。本体部２には、図２に示すように、テレビジョン放送を受信して出力するためのＴＶ（テレビ）受像器部２１が内蔵されている。ＴＶ受像器部２１は、アンテナ５、チューナー６及び復調器７からなる受信回路と、表示手段であるＬＣＤ表示部８と、スピーカ９と、メモリ１１と、これらを制御する制御部であるＣＰＵ１４とを有している。また、この本体部２には、テレビ番組局の周波数チャンネル変更をユーザが指示するための選局ボタン１０と、赤外線送受信部１２と、後述する周波数チャンネル情報の送信をユーザが指示する転送ボタン１３と、音量を調整する音量調整ボタン１５と、電源を供給する電源部（図示は省略する）とが設けられている。
【００１８】
本実施の形態では、テレビジョン放送の電波として地上デジタル放送を例にとって説明する。アンテナ５は、空中を伝搬するテレビジョン放送の電波を受信する。チューナー６は、ユーザ操作に応じた周波数チャンネルのテレビジョン放送電波信号を受信するように選局する。そして、アンテナ５にて受信された信号は、適正なレベルになるようにＡＧＣ（Ａｕｔｏｍａｔｉｃ  Ｇａｉｎ  Ｃｏｎｔｏｒｏｌ）にて増幅及び調整され、ＩＦ周波数に周波数変換される。また、チューナー６は、受信した信号から不要な電磁波を除くためにフィルタにて帯域制限する。
【００１９】
復調器７は、ＩＦ信号をベースバンド信号に変換し、さらにこのベースバンド信号から映像信号と音声信号とデータ情報を取り出す。データ情報としては、例えば文字放送のデータやＥＰＧデータなどの放送番組を表す情報である。ＬＣＤ表示部８は、映像信号に基づいてテレビ映像を表示する。スピーカ９は、音声信号に基づいて放音する。
【００２０】
選局ボタン１０は、テレビ番組局の周波数チャンネルの変更を、ユーザが指示するためのスイッチである。選局ボタン１０が押されると、ＣＰＵ１４は、それを認識し、選局された番組局の周波数となるようにチューナー６に対して周波数変更指示を行う。メモリ１１は、例えば現在選局中のデータ情報と、チャンネル番号と受信周波数などの周波数チャンネルを表す周波数チャンネル情報を記憶する。かかるメモリ１１としては、電源をオフにしてもデータが消えることはない、例えばＥＥＰＲＯＭを使用する。
【００２１】
赤外線送受信部１２は、据え置き型テレビジョン受像器１６又は別個の携帯型テレビジョン受像器１７の電源をオン・オフするための制御信号を送信すると共に、メモリ１１に記憶している周波数チャンネル情報を据え置き型テレビジョン受像器１６又は別個の携帯型テレビジョン受像器１７に送信する。
【００２２】
転送ボタン１３は、メモリ１１に記憶されている周波数チャンネル情報を、据え置き型テレビジョン受像器１６又は別の携帯型テレビジョン受像器１７に送信指示するためのボタンである。
【００２３】
据え置き型テレビジョン受像器１６は、図２に示すように、携帯型テレビジョン受像器１から送信された周波数チャンネル情報及びこの据え置き型テレビジョン受像器１６の電源をオンにする制御信号を受信する赤外線送受信部２４と、テレビジョン放送を受信して出力するＴＶ受像器部２５とを備えている。ＴＶ受像器部２５は、前記した携帯型テレビジョン受像器１のＴＶ受像器部２１と同じ構成である。
【００２４】
また、別個の携帯型テレビジョン受像器１７は、先の携帯型テレビジョン受像器１と同一構成のものである。
【００２５】
「動作説明」
次に、携帯型テレビジョン受像器１から据え置き型テレビジョン受像器１６へ、または別個の携帯型テレビジョン受像器１７へ、前記携帯型テレビジョン受像器１のメモリ１１に記憶した周波数チャンネル情報を送信して同一番組局のテレビジョン放送を、据え置き型テレビジョン受像器１６又は別個の携帯型テレビジョン受像器１７で途切れることなく連続して視聴することができる動作について図３のフローチャートを参照しながら説明する。
【００２６】
このフローチャートは、例えばユーザが帰宅中にこの携帯型テレビジョン受像器１を手に持って歩きながら任意の番組を視聴して帰宅し、そのまま据え置き型テレビジョン受像器１６に現在視聴している周波数チャンネル情報やデータ情報を転送し、携帯型テレビジョン受像器１で視聴していたテレビ番組を途切れることなくそのまま据え置き型テレビジョン受像器１６で視聴するときの周波数チャンネル情報送信処理の流れを示す。
【００２７】
ユーザが帰宅中において、この携帯型テレビジョン受像器１の電源をオンにすることによって、この周波数チャンネル情報送信処理はスタートする。携帯型テレビジョン受像器１の電源がオンになると、空中を伝搬する地上波テレビジョン放送の電波がアンテナ５に受信される。
【００２８】
チューナー６は、ステップＳ１の処理において、チューナー設定を行う。具体的には、チューナー６は、ユーザ操作に応じた周波数チャンネルのテレビジョン放送電波信号を受信するように選局する。そして、アンテナ５にて受信された信号は、適正なレベルになるように増幅及び調整され、ＩＦ周波数へ周波数変換される。また、チューナー６は、受信した信号から不要な電磁波を除くためにフィルタにて帯域制限する。そして、このＩＦ周波数は、復調器７へ受け渡される。復調器７は、ＩＦ信号をベースバンド信号に変換し、さらにこのベースバンド信号から音声信号と映像信号とデータ情報を取り出す。
【００２９】
ステップＳ１のチューナー設定が終了すると、この周波数チャンネル情報送信処理はステップＳ２の処理に進む。ステップＳ２の処理では、映像信号はＬＣＤ表示部８に送られ、このＬＣＤ表示部８は、この映像信号に基づいて現在選局中のテレビ映像を表示する。また、音声信号はスピーカ９へ転送され、このスピーカ９は、この音声信号に基づいて音声を放音する。また、現在選局中の番組局のデータ情報は、ＣＰＵ１４にて解読され、必要な情報のみがメモリ１１に記憶される。
【００３０】
次に、ステップＳ３の処理では、ユーザによって選局ボタン１０が押された場合、ＣＰＵ１４は、それを認識し、この周波数チャンネル情報送信処理をステップＳ４の処理（チューナー設定処理）に進める。ステップＳ４の処理では、ＣＰＵ１４は、選局された番組局の周波数となるようにチューナー６に対して周波数チャンネル変更の指示を行う。そして、チューナー６と復調器７は、受信した信号を復調した後、映像信号をＬＣＤ表示部８に伝送し、音声信号をスピーカ９へ転送する。
【００３１】
これと同時に、ＣＰＵ１４は、ステップＳ５の処理において、チャンネル変更後の現在選局中の周波数チャンネル情報をメモリ１１に保存する。また、ＣＰＵ１４は、選局変更する前の受信番組局で受信してメモリ１１に保存しておいたデータ情報をクリアし、新たに現在選局中のデータ情報をメモリ１１に書き込む。ステップＳ３の処理において、選局ボタン１０が押されなかった場合は、この周波数チャンネル情報送信処理はステップＳ６の処理に進む。ステップＳ６の処理では、ＣＰＵ１４は、選局変更された映像信号に基づいてＬＣＤ表示部８にて映像として表示させると共に音声信号に基づいて音声をスピーカ９から放音させる。
【００３２】
次に、この周波数チャンネル情報送信処理はステップＳ７に進み、このステップＳ７の処理では、ユーザにより転送ボタン１３が押されたか否かをＣＰＵ１４が判断する。すなわち、ユーザが帰宅途中で歩きながら任意の番組を視聴してそのまま帰宅し、据え置き型テレビジョン受像器１６の前で携帯型テレビジョン受像器１の転送ボタン１３を押すと、ＣＰＵ１４は、転送ボタン１３が押されたことを認識し、ステップＳ８の処理において赤外線送受信部１２から据え置き型テレビジョン受像器１６の電源をオンにするコマンドを発する。
【００３３】
その後、ステップＳ９の処理において、ＣＰＵ１４は、メモリ１１に記憶されている周波数チャンネル情報を、赤外線送受信部１２を介して据え置き型テレビジョン受像器１６へ送信する。また、ＣＰＵ１３は、周波数チャンネル情報だけでなくデータ情報も同時に据え置き型テレビジョン受像器１６へ送信する。
【００３４】
据え置き型テレビジョン受像器１６は、赤外線送受信部２４によって受信した前記コマンド（制御信号）に基づいて電源がオンとなり、携帯型テレビジョン受像器１より受け取った周波数チャンネル情報に基づいてチューナーがその周波数チャンネルのテレビジョン放送電波信号を受信するようにＴＶ受像器部２５を制御する。これにより、携帯型テレビジョン受像器１で視聴していた番組がそのまま途切れることなく据え置き型テレビジョン受像器１６に映し出され、継続して家庭でテレビを見ることができる。このとき、ユーザは、携帯型テレビジョン受像器１で視聴していた番組局のチャンネルを意識することはないため、転送ボタン１３を単に押すだけの操作でよい。
【００３５】
例えば、地上波デジタル放送を携帯型テレビジョン受像器１が受信して文字放送をユーザが視聴していたとすると、据え置き型テレビジョン受像器１６でもそのまま携帯型テレビジョン受像器１で視聴していた番組を見ることができると共に、文字放送もそのまま据え置き型テレビジョン受像器１６で見ることができる。なお、ステップＳ７の処理において、ユーザにより転送ボタン１３が押されなかった場合には、この周波数チャンネル情報送信処理はステップＳ６の処理に戻る。
【００３６】
そして、この周波数チャンネル情報送信処理は、ステップＳ９の処理が終わると、ステップＳ１０の処理に進む。ステップＳ１０の処理では、ＣＰＵ１４は、携帯型テレビジョン受像器１の電源をオフする。通常、据え置き型テレビジョン受像器１６を視聴するときには、携帯型テレビジョン受像器１の視聴はないため、ステップＳ８の処理で携帯型テレビジョン受像器１の電源をオフにし、この周波数チャンネル情報送信処理を終了する。
【００３７】
なお、図３は、携帯型テレビジョン受像器１と据え置き型テレビジョン受像器１６との間の処理であるが、携帯型テレビジョン受像器１，１７同士間の処理も同じであるのでその説明は省略する。
【００３８】
［第２の実施の形態］
第２の実施の形態は、転送ボタン１３を押して周波数チャンネル情報やデータ情報を据え置き型テレビジョン受像器１６又は別個の携帯型テレビジョン受像器１７に送信するのではなく、開閉蓋４を閉じたときに自動的に周波数チャンネル情報とデータ情報を据え置き型テレビジョン受像器１６又は別個の携帯型テレビジョン受像器１７に送信するようにした例である。
【００３９】
図４は、第２の実施の形態の携帯型テレビジョン受像器１８の一例を示す斜視図である。図５は、携帯型テレビジョン受像器１８の開閉蓋４を閉じたときに周波数チャンネル情報を据え置き型テレビジョン受像器１６又は別個の携帯型テレビジョン受像器１７に送信するように構成したテレビジョンシステムを示す図である。
【００４０】
「携帯型テレビジョン受像器の構成及びテレビジョンシステムの構成」
第２の実施の形態の携帯型テレビジョン受像器１８は、開閉蓋４の開閉状態を検出するための蓋開閉検出手段と、電源のオン・オフを制御する電源制御回路を備えた他は、第１の実施の形態の携帯型テレビジョン受像器１と同じ構成である。ここでは、第１の実施の形態の携帯型テレビジョン受像器１と同一の構成部分については同一の符号を付し、その説明については省略するものとする。
【００４１】
蓋開閉検出手段は、図４及び図５に示すように、開閉蓋４の開状態及び閉状態を検出する蓋開閉検出器１９を備える。蓋開閉検出器１９は、開閉蓋４が開く、閉じるといった状態を検出する機能をする。かかる蓋開閉検出器１９としては、例えば開閉蓋４の一部に磁石を設け、その磁石と対向する本体部２に磁気を検出する磁気検出リードスイッチを設けた構成とする。この構成では、開閉蓋４が閉じた状態のときには磁気検出リードスイッチが磁石の磁気を検出し、開閉蓋４が開いた状態のときには磁気検出リードスイッチが磁石の磁気を検出しないことにより、開閉蓋４の開状態と閉状態が検出できる。
【００４２】
この他、蓋開閉検出器１９は、開閉蓋４に突起を設け、この突起と対向する本体部２にプッシュスイッチを設けた構成としてもよい。この構成では、開閉蓋４が閉じた状態のときには突起によってプッシュスイッチが押し込まれるためにスイッチがオンとなり、開閉蓋４が開いた状態のときにはプッシュスイッチが押されないためスイッチがオフとなることから開閉蓋４の開状態と閉状態が検出できる。
【００４３】
電源制御回路２０は、図５に示すように、同図中点線で囲まれたＴＶ（テレビ）受像器部２１への電源供給又は電源遮断を行う。すなわち、この電源制御回路２０は、前記した蓋開閉検出器１９を監視しており、開閉蓋４が現在どのような状態であるかを把握している。そして、この電源制御回路２０は、開閉蓋４が開状態のときは電源スイッチ２２をオンにし、電源としての電池２３からＴＶ受像器部２１へ電源供給する。
【００４４】
電源供給が開始されると、電源制御回路２０は、ＣＰＵ１４へＴＶ受像器部２１へ動作を開始するようにトリガを掛ける。これを受けて、ＣＰＵ１４は、地上波放送の受信準備を始め、テレビ映像をＬＣＤ表示部８に表示させると共に音声をスピーカ９から放音させる。一方、電源制御回路２０は、開閉蓋４が閉状態のときには電源スイッチ２２をオフにし、電池２３からＴＶ受像器部２１への電源遮断を行う。
【００４５】
「動作説明」
次に、この第２の実施の形態の携帯型テレビジョン受像器１８から据え置き型テレビジョン受像器１６へ、または別個の携帯型テレビジョン受像器１７へ、前記携帯型テレビジョン受像器１８のメモリ１１に記憶した周波数チャンネル情報を送信して同一番組局のテレビジョン放送を、据え置き型テレビジョン受像器１６又は別個の携帯型テレビジョン受像器１７で途切れることなく連続して視聴することができる動作について図６のフローチャートを参照しながら説明する。
【００４６】
このフローチャートは、ユーザが帰宅中に任意の番組を視聴しながら帰宅した後、携帯型テレビジョン受像器１８から据え置き型テレビジョン受像器１６に周波数チャンネル情報を送信しようとする処理から開始する。周波数チャンネル情報を送信する前の処理の流れについては、前記した第１の実施の形態の図３に示したフローチャートのステップＳ６までの処理と同じである。
【００４７】
図６のフローチャートにおいて、ステップＳ１１の処理で蓋開閉検出器１９が開閉蓋４の閉状態を検出すると、ＣＰＵ１４はこの周波数チャンネル情報送信処理をステップＳ１２の処理に進める。一方、ステップＳ１１の処理で蓋開閉検出器１９が開閉蓋４の閉状態を検出しない場合は、この蓋開閉検出器１９が閉状態を検出するまでこのステップＳ１１の処理を繰り返す。
【００４８】
ステップＳ１２では、電源制御回路２０は、現在視聴中の周波数チャンネル情報をメモリ１１へ保存するようにＣＰＵ１４に指令する。ここでは、周波数チャンネル情報だけではなくデータ情報もメモリ１１に保存される。メモリ１１に周波数チャンネル情報とデータ情報が保存されると、ステップＳ１３の処理において、ＣＰＵ１４は、据え置き型テレビジョン受像器１６の電源をオンにするコマンドを赤外線送受信部１２に送信するように指令する。また、ステップＳ１４の処理において、ＣＰＵ１４は、メモリ１１から少なくとも周波数チャンネル情報を読み出し、その周波数チャンネル情報を据え置き型テレビジョン受像器１６に送信するように赤外線送受信部１２に指令する。
【００４９】
据え置き型テレビジョン受像器１６は、赤外線送受信部２４によって受信した前記コマンド（制御信号）に基づいて電源がオンとなり、携帯型テレビジョン受像器１８より受け取った周波数チャンネル情報に基づいてチューナーがその周波数チャンネルのテレビジョン放送電波信号を受信するようにＴＶ受像器部２５を制御する。これにより、携帯型テレビジョン受像器１８で視聴していた番組がそのまま途切れることなく据え置き型テレビジョン受像器１６に映し出され、ユーザは継続して家庭でテレビを見ることができる。この据え置き型テレビジョン受像器１６は、周波数チャンネル情報と共にデータ情報も同時に受信した場合には、文字放送のデータやＥＰＧデータなどをディスプレイに表示する。
【００５０】
そして、ステップＳ１４の処理が終了すると、ＣＰＵ１４は、この周波数チャンネル情報送信処理をステップＳ１５に進める。ステップＳ１５の処理では、電源制御回路２０は、電源スイッチ２２をオフし、ＴＶ受像器部２１への電源供給を遮断する。これで、この図６に示す周波数チャンネル情報送信処理は終了する。なお、携帯型テレビジョン受像器１８から別個の携帯型テレビジョン受像器１７に周波数チャンネル情報を送信させる処理は、前記した図６のフローチャートと同じ処理となる。
【００５１】
［第３の実施の形態］
第３の実施の形態は、開閉蓋４を開いたときに携帯型テレビジョン受像器１８の電源をオンにし、据え置き型テレビジョン受像器１６又は別個の携帯型テレビジョン受像器１７から周波数チャンネル情報を受信するようにした例である。例えば、据え置き型テレビジョン受像器１６で任意のテレビ番組を視聴していて外出するような場合や、友達同士などで同じテレビ番組を見るような場合が本例に該当する。
【００５２】
図７は、携帯型テレビジョン受像器１８の開閉蓋４を開いたときに、この携帯型テレビジョン受像器１８の電源をオンにして据え置き型テレビジョン受像器１６又は別個の携帯型テレビジョン受像器１７から周波数チャンネル情報を受信する周波数チャンネル情報受信処理の流れを示すフローチャートである。
【００５３】
このフローチャートは、例えば据え置き型テレビジョン受像器１６で任意のテレビ番組を視聴して外出する場合に、据え置き型テレビジョン受像器１６で視聴していた周波数チャンネル情報を携帯型テレビジョン受像器１８で受信しようとしてユーザが開閉蓋４を開こうとする処理から開始する。図７のフローチャートにおいて、ステップＳ１６の処理で蓋開閉検出器１９が開閉蓋４の開状態を検出すると、電源制御回路２０は、ステップＳ１７の処理において電源スイッチ２２をオンにし、電池２３からＴＶ受像器部２１へ電源供給を行う。
【００５４】
電源供給が行われると、ステップＳ１８の処理として、ＣＰＵ１４は、据え置き型テレビジョン受像器１６から周波数チャンネル情報（局情報だけでもよい）を受信するためのコマンドを赤外線送受信部１２に発するように指令する。これを受けて、据え置き型テレビジョン受像器１６は、メモリに記憶しておいた周波数チャンネル情報を赤外線送受信部２４を介して前記携帯型テレビジョン受像器１８へ送信する。そして、赤外線送受信部１２は、この据え置き型テレビジョン受像器１６より周波数チャンネル情報を受信する。受信した周波数チャンネル情報は、ステップＳ１９の処理において、ＣＰＵ１４がメモリ１１に書き込む。
【００５５】
そして、電源制御回路２０は、ＣＰＵ１４へＴＶ受像器部２１としての動作を開始するようにトリガを掛ける。ＣＰＵ１４は、このトリガを受け取ると、ＴＶ受像器部２１へ地上波放送の受信準備を始めるように指示する。先ず、ＣＰＵ１４は、メモリ１１に保存した先程の周波数チャンネル情報を読み出す。次に、ＣＰＵ１４は、この周波数チャンネル情報を基にチューナー６を選局し、当該周波数チャンネル情報に対応する周波数チャンネルのテレビジョン放送電波信号を受信するようにＴＶ受像器部２１を制御する。
【００５６】
これを受けて、空中を伝搬する地上波テレビ放送の電波がアンテナ５に受信される。アンテナ５にて受信された信号は、適正なレベルになるように増幅及び調整され、ＩＦ周波数へ周波数変換される。また、チューナー６は、受信した信号から不要な妨害波を除くためにフィルタにて帯域制限する。そして、このＩＦ周波数は、復調器７へ受け渡される。復調器７は、ＩＦ信号をベースバンド信号に変換し、さらにこのベースバンド信号から映像信号と音声信号とデータ情報を取り出す。
【００５７】
映像信号は、ＬＣＤ表示部８に送られる。そして、ＬＣＤ表示部８は、この映像信号に基づいてテレビ映像を映し出す。また、音声信号はスピーカ９へ転送される。そして、スピーカ９は、この音声信号に基づいて音声を放音する。これにより、据え置き型テレビジョン受像器１６で視聴していたテレビ番組をそのまま携帯型テレビジョン受像器１８で視聴することができ、ユーザは途切れることなく同一番組をそのまま携帯型テレビジョン受像器１８で視聴することができる。
【００５８】
なお、前記携帯型テレビジョン受像器１８は、据え置き型テレビジョン受像器１６から周波数チャンネル情報に加えてデータ情報を受信するようにしてもよい。また、別個の携帯型テレビジョン受像器１７から他方の携帯型テレビジョン受像器１８に周波数チャンネル情報を受信させる処理は、前記した図７のフローチャートと同じ処理となる。
【００５９】
［その他の実施の形態］
以上、本発明を適用した具体的な実施の形態について説明したが、本発明は上述の実施の形態に制限されることなく種々の変更が可能である。
【００６０】
例えば、上述の実施の形態では、携帯型テレビジョン受像器で地上デジタル放送を受信して任意のテレビ番組を視聴することを例に挙げたが、本発明においては、現在主流の地上波アナログ放送を受信して任意のテレビ番組を視聴するようにしてもよい。
【００６１】
また、本発明の携帯型テレビジョン受像器は、単なるテレビジョン受像器としての機能だけでもよく、或いは、テレビジョン受像器の機能を備えた携帯電話機であっても構わない。要は、テレビジョン受像器の機能を備えたものであれば、ＰＤＡ（Ｐｅｒｓｏｎａｌ  Ｄｉｇｉｔａｌ  Ａｓｓｉｓｔａｎｔ）などの携帯端末装置などに本発明を適用することもできる。
【００６２】
【発明の効果】
本発明の携帯型テレビジョン受像器によれば、別個のテレビジョン受像器の周波数チャンネルを制御するために、メモリに記憶した周波数チャンネル情報を、前記別個のテレビジョン受像器に送信するため、携帯型テレビジョン受像器で視聴していた番組をそのまま別個のテレビジョン受像器で途切れることなく視聴することができる。
【００６３】
また、本発明のテレビジョンシステムによれば、第１のテレビジョン受像器から送信された周波数チャンネル情報を第２のテレビジョン受像器が受信し、その受信した周波数チャンネル情報に対応する周波数チャンネルのテレビジョン放送電波信号を受信するように当該第２のテレビジョン受像器の受信回路が制御されるので、携帯型テレビジョン受像器で視聴していた番組をそのまま第２のテレビジョン受像器で途切れることなく視聴することができる。また、ユーザは、自分が今まで視聴していた番組のチャンネルを意識する必要もなくなる。
【図面の簡単な説明】
【図１】第１の実施の形態の携帯型テレビジョン受像器の一例を示す斜視図である。
【図２】第１の実施の形態のテレビジョンシステムを示す構成図である。
【図３】第１の実施の形態のテレビジョンシステムでの周波数チャンネル情報送信処理の流れを示すフローチャートである。
【図４】第２の実施の形態の携帯型テレビジョン受像器の一例を示す斜視図である。
【図５】第２の実施の形態のテレビジョンシステムを示す構成図である。
【図６】第２の実施の形態のテレビジョンシステムでの周波数チャンネル情報送信処理の流れを示すフローチャートである。
【図７】第３の実施の形態のテレビジョンシステムでの周波数チャンネル情報受信処理の流れを示すフローチャートである。
【符号の説明】
１，１７，１８…携帯型テレビジョン受像器
２…本体部
４…開閉蓋
５…アンテナ
６…チューナー
７…復調器
８…ＬＣＤ表示部
９…スピーカ
１０…選局ボタン
１１…メモリ
１２，２４…赤外線送受信部
１３…転送ボタン
１６…据え置き型テレビジョン受像器
１９…蓋開閉検出器
２０…電源制御回路
２１，２５…ＴＶ受像器部
２２…電源スイッチ
２３…電池
【図１】
2004228639.tif 000003
【図２】
2004228639.tif 000004
【図３】
2004228639.tif 000005
【図４】
2004228639.tif 000006
【図５】
2004228639.tif 000007
【図６】
2004228639.tif 000008
【図７】
2004228639.tif 000009